(57)【要約】【課題】小型化と簡素化と低コスト化を図った生ごみ乾燥処理装置を提供する。【解決手段】生ごみを破砕する破砕装置２と、この破砕装置２により破砕された生ごみと水の混在物から水分を分離する固液分離装置３と、この固液分離装置３を作動する駆動手段２６と、前記固液分離装置３により分離された生ごみを乾燥処理する生ごみ処理部６と、この生ごみ処理部６に設けた生ごみ撹拌手段７とを具備し、前記生ごみ撹拌手段７の作動を伝達手段２７を介して前記固液分離装置３の駆動手段２６で行うことにした。したがって、生ごみ乾燥処理装置内での生ごみ撹拌手段の駆動手段の配置に大きな場所を必要とせず、生ごみ乾燥処理装置を小型化することができる。【選択図】図１
2010075822.tif 000002
【特許請求の範囲】
【請求項１】
生ごみを破砕する破砕装置と、この破砕装置により破砕された生ごみと水の混在物から水分を分離する固液分離装置と、この固液分離装置を作動する駆動手段と、前記固液分離装置により分離された生ごみを乾燥処理する生ごみ処理部と、この生ごみ処理部に設けた生ごみ撹拌手段とを具備し、前記生ごみ撹拌手段の作動を伝達手段を介して前記固液分離装置の駆動手段で行うことにした生ごみ乾燥処理装置。
【請求項２】
固液分離装置は、駆動装置を伝達手段の反対側の生ごみ処理部の側に配置した請求項１項に記載の生ごみ乾燥処理装置。
【請求項３】
固液分離装置は、生ごみ処理部に臨ませる出口を生ごみ撹拌手段の駆動軸に対して略直角方向に脱水された生ごみを落下させるように構成した請求項１または２項に記載の生ごみ乾燥処理装置。
【請求項４】
固液分離装置は、生ごみ処理部の生ごみ撹拌手段の正転、反転を行うときに、水分と生ごみを分離するための複数個の分離部とこの分離部が構成する間隙を掃除するためのスクレーパの構成を反転しても回転を阻害しないように、スクレーパの形状を分離部に対して略対称に設けた請求項１項または３項に記載の生ごみ乾燥処理装置。
【請求項５】
固液分離装置は、生ごみ処理部の生ごみ撹拌手段の正転、反転を行うときに、水分と生ごみを分離するための複数個の分離部とこの分離部が構成する間隙を反転しても回転を阻害しないように、分離部に複数個設ける生ごみ搬送用の切欠き部の形状を正転方向、反転方向に略対称に構成した請求項１または４項に記載の生ごみ乾燥処理装置。
【請求項６】
固液分離装置は、生ごみ処理部の生ごみ撹拌手段の正転を行うときに、分離された生ごみがスクレーパにより構成される上傾斜面の上を通過するようにして生ごみ処理部に供給し、撹拌手段の反転を行うときは、スクレーパにより構成される下傾斜面により固液分離装置の下部に堆積した生ごみの残渣が逆流しないようにした請求項１〜５のいずれか１項に記載の生ごみ乾燥処理装置。
【請求項７】
固液分離装置は、破砕装置が作動している間は、正転を行い、分離した生ごみを生ごみ処理部に供給し、生ごみ撹拌手段は、固液分離装置と同一方向に回転し、固液分離装置から押し出される生ごみを下から受け止めるようにして生ごみ処理部内に分散させる請求項１〜６のいずれか１項に記載の生ごみ乾燥処理装置。
【発明の詳細な説明】
【技術分野】
【０００１】
本発明は、主に家庭で発生する生ごみを乾燥させ、減量及び減容させる生ごみ乾燥処理装置に関するものである。
【背景技術】
【０００２】
従来、この種の生ごみ乾燥処理装置は、ディスポーザ（破砕装置）で粉砕された粉砕生ごみが注水器から放出される水とともに導入口から脱水スクリーン内に導入され、脱水スクリーン内の搬送スクリューにより粉砕生ごみを搬送しながら脱水し、排出口から外部に排出されるように構成されている。搬送スクリューは、駆動手段として搬送モータが接続されている。
【０００３】
また、排出口と対峙するケースの側方には、脱水された粉砕生ごみを分解処理する処理室が配置され、脱水された粉砕生ごみは、処理室の底部に設けられた処理槽に貯留される。この処理槽には撹拌部材設けられ、撹拌モータの駆動により撹拌部材が回転することで、処理槽内の粉砕生ごみと分解チップを加熱しながら撹拌部材の撹拌作用により粉砕生ごみの分解処理を促進している（例えば、特許文献１参照）。
【特許文献１】特開２０００−２５４６３２号公報
【発明の開示】
【発明が解決しようとする課題】
【０００４】
しかしながら、前記従来の構成では、粉砕生ごみと水を分離する脱水スクリーンと搬送スクリュー（固液分離装置）と脱水した粉砕生ごみを処理する処理槽と撹拌部材（生ごみ処理部）のそれぞれに駆動用のモータを必要としているので、ケース（例えば、生ごみ乾燥処理装置全体）を小型化しようとするとモータの納まりが悪いという課題を有していた。
【０００５】
また、生ごみ乾燥処理装置の構成部品の中では、モータのコストが高く複数個設けることは、コストアップになるという課題も有していた。
【０００６】
本発明は、前記従来の課題を解決するもので、生ごみ乾燥処理装置の小型化と簡素化と低コスト化を図ることを目的とする。
【課題を解決するための手段】
【０００７】
前記従来の課題を解決するために、本発明の生ごみ乾燥処理装置は、生ごみを破砕する破砕装置と、この破砕装置により破砕された生ごみと水の混在物から水分を分離する固液分離装置と、この固液分離装置を作動する駆動手段と、前記固液分離装置により分離された生ごみを乾燥処理する生ごみ処理部と、この生ごみ処理部に設けた生ごみ撹拌手段とを具備し、前記生ごみ撹拌手段の作動を伝達手段を介して前記固液分離装置の駆動手段で行うことにしたものである。
【０００８】
これによって、固液分離装置を駆動しながら固液分離装置の駆動手段により伝達手段を介して生ごみ撹拌手段を動かすので、固液分離装置の駆動手段が作動するときに生ごみ撹拌手段も作動し、破砕装置により粉砕された破砕生ごみと水の混在物から固液分離装置により分離され、脱水された脱水生ごみを生ごみ処理部に供給すると、同時に作動している生ごみ撹拌手段により固液分離装置の出口から排出される脱水生ごみを搬送したり撹拌したりして生ごみ処理部内に均一に分散させるようにしている。
【０００９】
生ごみ処理部内に貯留した回収生ごみは、加熱手段により加熱され乾燥していくが、生ごみ撹拌手段は、正転、反転を繰り返しながら貯留した回収生ごみの乾燥作業を促進し、固液分離装置は、駆動装置により反転を行う場合は、破砕生ごみと水の混在物の分離作業は行わずに、固液分離装置内の破砕生ごみの残渣を取り除き、次の分離作業に備えるようにしている。
【発明の効果】
【００１０】
本発明の生ごみ乾燥処理装置は、生ごみ撹拌手段の作動を伝達手段を介して前記固液分離装置の駆動手段で行い、駆動手段を兼用できるので、生ごみ乾燥処理装置内での生ごみ撹拌手段の駆動手段の配置に大きな場所を必要とせず、生ごみ乾燥処理装置を小型化することができる。
【００１１】
また、生ごみ撹拌手段の駆動手段に使用するモータは、生ごみ乾燥処理装置の構成部品の中でもコストが高いので、無くすことで低コスト化を図ることができる。
【発明を実施するための最良の形態】
【００１２】
第１の発明は、生ごみを破砕する破砕装置と、この破砕装置により破砕された生ごみと水の混在物から水分を分離する固液分離装置と、この固液分離装置を作動する駆動手段と、前記固液分離装置により分離された生ごみを乾燥処理する生ごみ処理部と、この生ごみ処理部に設けた撹拌手段と具備し、前記生ごみ撹拌手段の作動を伝達手段を介して前記固液分離装置の駆動手段で行うことにしたものである。
【００１３】
したがって、固液分離装置の駆動手段が作動するときに生ごみ撹拌手段も作動し、破砕装置により粉砕された生ごみと水の混在物から固液分離装置により分離され、脱水された生ごみを生ごみ処理部に供給すると、同時に作動している生ごみ撹拌手段により固液分離装置の出口から排出される脱水生ごみを搬送したり撹拌したりして生ごみ処理部内に均一に分散させるので、駆動手段を兼用でき、生ごみ乾燥処理装置内での生ごみ撹拌手段の駆動手段に大きな場所を必要とせず、生ごみ乾燥処理装置を小型化することができる。
【００１４】
また、生ごみ撹拌手段７の駆動手段に使用するモータは、生ごみ乾燥処理装置の構成部品の中でもコストが高いので、無くすことで低コスト化を図ることができる。
【００１５】
第２の発明は、特に、第１の発明の固液分離装置は、駆動装置を伝達手段の反対側の生ごみ処理部の側に配置したことにより、生ごみ処理部に固液分離装置を装着するときに生ごみ処理部の側に形成する空間に固液分離装置の駆動手段であるギアドモータが収納されので、生ごみ乾燥処理装置８のケース内に場所をとらないように収納し、生ごみ乾燥処理装置８をコンパクトに構成することができる。
【００１６】
第３の発明は、特に、第１と２の発明の固液分離装置は、生ごみ処理部に臨ませる出口を生ごみ撹拌手段の駆動軸に対して略直角方向に脱水された生ごみを落下させるように構成したことにより、生ごみ撹拌手段の形状を変則的な配置にしておくことで、回収された生ごみが駆動軸の方向に移動し、回収された生ごみの分散を促進し、乾燥処理時間を短縮することができる。
【００１７】
第４の発明は、特に、第１と２の発明の固液分離装置は、生ごみ処理部の撹拌手段の正転、反転を行うときに、水分と生ごみを分離するための複数個の分離部とこの分離部が構成する間隙を掃除するためのスクレーパの構成を分離部９が反転しても回転を阻害しないように、スクレーパの形状を分離部に対して略対称に設けたことにより、固液分離装置の正転時に複数個の分離部が構成する複数個の間隙に挿入された複数個のスクレーパにより、水分と生ごみを分離するようにし、生ごみ処理部内の撹拌手段が反転を必要とするとき
は、固液分離装置の分離部が反転しても分離部の間隙をスクレーパが正転と同じように容易に通過できるので、固液分離装置の反転によるスクレーパの変形や分離部とスクレーパの摩擦による負荷拡大を防止することができる。
【００１８】
第５の発明は、特に、第１と２の発明の固液分離装置は、生ごみ処理部の生ごみ撹拌手段の正転、反転を行うときに、水分と生ごみを分離するための複数個の分離部とこの分離部が構成する間隙を反転しても回転を阻害しないように、分離部に複数個設ける生ごみ搬送用の切欠き部の形状を正転方向、反転方向に略対称に構成したことにより、固液分離装置の正転時に分離部が構成する複数個の切欠き部の形状に適合され、水分と生ごみを分離する形状に構成されたスクレーパにより、水分と生ごみを分離するようにし、生ごみ処理部内の生ごみ撹拌手段が反転を必要とするときは、固液分離装置の分離部が反転しても分離部の切欠き部をスクレーパが容易に通過できるので、固液分離装置の反転によるスクレーパの変形や分離部とスクレーパの摩擦による負荷拡大を防止することができる。
【００１９】
第６の発明は、特に、第１〜３の発明の固液分離装置は、生ごみ処理部の生ごみ撹拌手段の正転を行うときに、分離された脱水生ごみがスクレーパにより構成される上傾斜面の上を通過するようにして生ごみ処理部に供給し、生ごみ撹拌手段の反転を行うときは、スクレーパにより構成される下傾斜面により固液分離装置の下部に堆積した破砕生ごみの残渣が逆流しないようにしたことにより、分離部が正転、反転を行うときに分離部の間隙を通過するスクレーパ以外のスクレーパの構造体で固液分離装置の出口と分離部の通路を仕切るので、分離部が反転したときに分離部の間隙をスクレーパで掃除した破砕生ごみの残渣を下傾斜面で分離しやすくして、分離部の通路に残し、次の分離部の正転時に分離部の切欠き部により搬送して生ごみ処理部に送り込むことができる。
【００２０】
第７の発明は、特に、第１〜４の発明の固液分離装置は、破砕装置が作動している間は、正転を行い、分離した生ごみを生ごみ処理部に供給し、生ごみ撹拌手段は、固液分離装置と同一方向に回転し、固液分離装置から押し出される脱水生ごみを下から受け止めるようにして生ごみ処理部内に分散させることにより、破砕装置が作動して破砕生ごみが固液分離装置に送られる間は、固液分離装置は正転を連続して行い、その間生ごみ撹拌手段も正転を続けて生ごみ処理部内の分離された生ごみを下から受け止めるような形で搬送し、乾燥しやすいように撹拌したり分散したりすることができるので、回収生ごみの乾燥処理を加速することができ、乾燥処理時間を短縮することができる。
【００２１】
（実施の形態１）
図１、２、３において、１は、生ごみや水道水と共に高速でカッタを回転させて破砕する破砕装置（ディスポーザ）２を取り付けた台所のシンク、３は、破砕生ごみ４と水道水または井戸水等の水を分離する固液分離装置であり、破砕装置２により破砕された粉砕生ごみ４と水の混在物を供給する導入管５を備えている。６は、生ごみ攪拌手段７を内蔵した生ごみ処理部である。
【００２２】
これらの破砕装置２、固液分離装置３、および生ごみ処理部６を組み合わせて、生ごみ乾燥処理装置８が構成されている。
【００２３】
固液分離装置３は、生ごみ処理部６の上部に接するように装着されており、また、導入管５は、樹脂製の中空パイプ（内径は、４０Ａ〜５０Ａ程度）で構成され、生ごみ乾燥処理装置８をキッチンに配置するときの引き回しを容易にして設置を簡便にしている。
【００２４】
固液分離装置３は、内部に複数個の分離部９（リング状、ステンレス製、厚み０．５〜２．０ｍｍ程度）を駆動軸１０の周囲に積層し、隣接する分離部９の間に設定した間隙１１（幅０．４〜１．０ｍｍ程度）を介して水を分離するようにしている。
【００２５】
粉砕生ごみ４は、導入管５を介して固液分離装置３の入口１２から入り、積層する分離部９の間隙１１に向かって流入し、分散するようにしている。
【００２６】
破砕生ごみ４は、分離部９に設けた複数個の切欠き部１３が積層して構成するポケットに乗せられて駆動軸１０の正転とともに分離部９の通路１４に沿って移動していく。
【００２７】
固液分離装置３の入口１２は、破砕装置２から５０〜２００ｍｍ程度の下方に設けられ、粉砕生ごみ４と水の混在物が落差を利用して入りやすくしている。
【００２８】
また、入口１２の下端は、駆動軸１０の中心水平方向よりも上方に設けられ、粉砕生ごみ４と水の混在物から水を落下しやすくしている。
【００２９】
分離部９の通路１４の入口１２の略反対側に複数個の刃１５（ステンレス製、厚み０．３〜０．９ｍｍ程度）で構成されたスクレーパ１６を設けている。
【００３０】
スクレーパ１６の刃１５はそれぞれの間隙１１内に挿入され、間隙１１内に沿うように設けられている。
【００３１】
スクレーパ１６の形状は、分離部９の駆動軸１０の中心水平方向に対して略対称に設定し、扇状に構成したことにより、固液分離装置３の正転、反転の回転により分離部９が移動しても、反転時に正転と同様の刃１５の通過状態を実現して、スクレーパ１６を容易に通過できるようにしている。
【００３２】
刃１５の扇状の形状は、分離部９の内部空間１７にその両端が突出し間隙１１内の粉砕生ごみ４を取り残さないようにしている。
【００３３】
刃１５の扇状の先端はＲに仕上げ、分離部９の構造の一部に引っかからないように構成している。
【００３４】
複数個のスクレーパ１６の刃１５は、同一形状に形成され、同じように同一形状で形成されたスペーサー１８により等間隔に積層されている。そして、スクレーパ１６の刃１５とこのスペーサー１８により一体の仕切り部１９を構成している。
【００３５】
この仕切り部１９の部分で、固液分離装置３のケース２０と分離部９で構成する円筒状の通路１４の一部を構成している。
【００３６】
スクレーパ１６の仕切り部１９は、分離部９の駆動軸１０の中心水平方向の上部に設けた上傾斜面２１と下部に設けた下傾斜面２２を構成し、この上傾斜面２１と下傾斜面２２で略対称の形状を形成している。
【００３７】
粉砕生ごみ４は、切欠き部１３に乗せられて駆動軸１０の正転とともに分離部９の通路１４に沿って移動し、スクレーパ１６の刃１５により切欠き部１３から上傾斜面２１に押し出されるようにしている。
【００３８】
このとき、上傾斜面２１と固液分離装置３のケース２０の一部で絞り部２３を構成して、破砕生ごみ４を脱水し、脱水生ごみ２４として生ごみ処理部６に落下させている。
【００３９】
絞り部２３は、上傾斜面２１に沿って通路を構成し、この通路の先に固液分離装置３の出口２５を設けている。
【００４０】
この通路の幅や高さは、出口２５まで一定の値に設定するか、または出口２５をラッパ状に広げることで、脱水生ごみ２４の含水率（生ごみと水の混在物の水分の割合）を調節している。
【００４１】
駆動軸１０を反転したときは、分離部９が下傾斜面２２側から回転し、間隙１１内の取り残した脱水生ごみ２４の残渣をスクレーパ１６で掃除し、通路１４内に落とし、分離部９が再度正転するときに切欠き部１３により回収するようにしている。
【００４２】
スクレーパ１６の上傾斜面２１と下傾斜面２２の傾斜角度は、分離部９の外周に対して鈍角に構成され、スクレーパ１６の刃１５の間隙１１に対する通過を容易に行い、脱水生ごみ２４をスクレーパ１６で掃除しやすいようにしている。
【００４３】
駆動軸１０における反転のタイミングは、固液分離装置３での分離処理が終了した後に（例えば、固液分離装置３の運転のオンオフは、水位センサにより、シンク１から固液分離装置３に水が流入したり、固液分離装置３から排出したりすることで可能になる）、一定のオフ時間が経過した後に固液分離装置３のオフ状態を判定して行うことにしている。
【００４４】
固液分離装置３に水が流入したことが確認できた時点で駆動軸１０を正転に変えるようにしている。
【００４５】
分離部９の複数個の切欠き部１３は、複数個の分離部９を積層して構成したときにこの切欠き部１３により粉砕生ごみ４を搬送するポケットを構成している。
【００４６】
切欠き部１３の形状は、駆動軸１０に向かう半円形状や駆動軸１０に向かう軸を中心にして略対称のＲ部で構成した凹部形状にして正転、反転が容易にできるようにしている。駆動軸１０の一端は、ギアドモータなどで構成された駆動手段２６に結合されている。
【００４７】
分離部９は、この駆動手段２６により毎分５〜２０回転で粉砕生ごみ４の搬送と脱水を行うようにしている。
【００４８】
駆動軸１０の先端は延長され、その端部にベルトやチェインで構成された伝達手段２７を張架したプーリー２８が設けている。
【００４９】
駆動軸１０の端部に駆動手段２６や伝達手段を設けるときに固液分離装置３のケース２０を貫通するときに駆動軸１０にベアリングとメカニカルシール等を装着して、生ごみや水分が漏れないように構成している。
【００５０】
伝達手段２７はまた生ごみ撹拌手段７の駆動軸２９の延長部に固定したプーリー３０にも張架してある。
【００５１】
駆動手段２６は、生ごみ処理部６と固液分離装置３を結合させるときに形成される空間に配置され、生ごみ処理部６の側に沿うように収納するようにしている。
【００５２】
３１の矢印は、固液分離装置３の正転方向を示している。３２は、固液分離排水管で、分離部９の内部空間１７に抜け落ちる水がケース２０の下部に設けた排水口３３から流出するときに下水管（図示無）に送るように構成している。
【００５３】
生ごみ処理部６は、駆動軸１０に略平行に配置され、その形状は有底円筒状に構成されている。
【００５４】
生ごみ処理部６の内部に生ごみ容器３４が引出しのように収納されている。生ごみ撹拌手段７は、この生ごみ容器３４内に設けた駆動軸２９の延長部分の周囲に構成されている。生ごみ容器３４内の駆動軸２９の延長部分は、生ごみ容器３４内に回収生ごみ３５（回収生ごみ３５と乾燥処理した生ごみ等）がたまり、捨てるときに生ごみ容器３４を生ごみ処理部６から引き出すときに容易に作業が行えるように駆動軸２９とは独立して設けられ、生ごみ容器３４を生ごみ処理部６に収納するときに独立した駆動軸２９と駆動軸２９の延長部分が接触して回転を伝達できるようにしている。
【００５５】
生ごみ処理部６への駆動軸２９の装着は、ベアリングとメカニカルシール等を用いて密閉性を高めている。
【００５６】
生ごみ容器３４内の駆動軸２９の延長部分に対してもベアリングとメカニカルシール等を用いて密閉性を高めている。生ごみ容器３４は、円筒状の生ごみ処理部６にあわせて円筒形状を構成しており、引き出す手前側に円筒よりも大きな径の前板３６を設け、この前板３６を生ごみ処理部６の壁面にパッキンやシール材を介してレバー等で押し付けるようにして密閉性を高めるようにしている。
【００５７】
生ごみ容器３４は、引出しのように上部が開放され、固液分離装置３の出口２５から押し出された脱水生ごみ２４が落下して貯留するようになっている。
【００５８】
固液分離装置３の出口２５から押し出される脱水生ごみ２４が駆動軸２９により回転する生ごみ撹拌手段７の回転方向に対して略直角になるように、生ごみ処理部６に載置されている。
【００５９】
生ごみ撹拌手段７は、複数個の棒またはヘラ状の板で構成され、この先端が生ごみ容器３２の円筒状の内壁に沿って回転して回収生ごみ３５の撹拌を行うようにしている。
【００６０】
生ごみ撹拌手段７は、生ごみ容器３４の内壁に沿って回転するので、生ごみ処理部６の内壁の上部に開放された固液分離装置３の出口２５にも沿って回転し、出口２５に残って付着した脱水生ごみ２４を掻き落とすようにしている。
【００６１】
３７は、生ごみ処理部６の庫内温度を上昇させるために生ごみ処理部６の下部に設けた加熱手段で、一般的なシーズヒータ、マイカヒータを用い一定の温度調節を行うか、またはＰＴＣヒータを用いて自動調節を行なうようにしている。
【００６２】
加熱手段３７により、回収生ごみ３５を加熱し、撹拌手段７により乾燥処理を加速するようにしている。
【００６３】
３８は、生ごみ処理部６内に空気３９を送るための空気供給手段で、ターボファンやラジアルファン等の高圧型の送風機やエアーポンプで構成されている。
【００６４】
空気供給手段３８は、生ごみ処理部６の給気口４０を介して、生ごみ処理部６内に空気３９を噴出すようにしている。
【００６５】
４１は、脱臭装置で、回収生ごみ３５の乾燥処理を行うときに発生する刺激臭を低減するために、触媒や活性炭を用いて構成している。
【００６６】
空気供給手段３８により供給された空気３９に押し出されるようにして、生ごみ処理部６内の刺激臭と水蒸気を吸い込んだ排気４２が生ごみ処理部６の排気口４３から脱臭装置
４１に送られるようにしている。
【００６７】
以上のように構成された生ごみ乾燥処理装置において、その動作を説明する。
【００６８】
まず台所のシンク１で発生した生ごみが、破砕装置２に投入され、かつ水が流し込まれると、破砕装置２が駆動を開始する。
【００６９】
破砕装置２が生ごみを破砕し、破砕生ごみ４と水の混在物を形成し、この混在物が導入管５を介して固液分離装置３に流入する。
【００７０】
固液分離装置３では、水が流入することで駆動手段２６が作動し駆動軸１０が回転する。駆動軸１０が正転することで、分離部９の切欠き部１３に破砕生ごみ４と水の混在物が載せられて絞り部２３に送られる。
【００７１】
絞り部２３では、スクレーパ１６により分離部９の間隙１１に詰まった粉砕生ごみ４の微細な粒子を掻き揚げながら切欠き部１３から送られる粉砕生ごみ４が押し付けられ、脱水され、脱水生ごみ２４として固液分離装置３の出口２５から生ごみ容器３４に落とされる。
【００７２】
このとき、破砕生ごみ４に付着した汁や水は、スクレーパ１６や間隙１１で分離して、排水口３３から固液分離排水管３２を介して下水管へ排水する。同時に、加熱手段３７により、生ごみ処理部６が加熱され、脱水生ごみ２４は、回収生ごみ３５として加熱され水蒸気を発生しながら乾燥処理が行われる。
【００７３】
このとき、空気供給手段３８が生ごみ処理部６内に空気３９を送り、空気３９は、生ごみ容器３４内を循環して回収生ごみ３５から発生する刺激臭と水蒸気を回収して排気口４３から排出するようにしている。
【００７４】
生ごみ撹拌手段７は、固液分離装置３で粉砕生ごみ４の分離処理が行われる間は、駆動手段２６の駆動軸１０から伝達手段２７を介して正転方向の回転を行い、生ごみ容器３４内の回収生ごみ３５の撹拌を行うようにしている。
【００７５】
破砕装置２での生ごみ処理が行われないときは、反転方向の回転も行うようにしている。駆動手段２６は、定期的（例えば１５分間隔）に駆動して生ごみ攪拌手段７を回転（１分程度）させて、この回転を正転、反転と繰り返しながら回収生ごみ３５を攪拌し、乾燥処理を促進していく。
【００７６】
生ごみ処理部６では、加熱手段３７により破砕生ごみ４が加熱され、温度上昇し水蒸気を発生させる。回収生ごみ３５から発生した蒸気を大量に含んだ排気４２は、空気供給手段３８に供給された空気３９により置換され、排気口４３から脱臭装置４１に送られる。
【００７７】
脱臭装置４１では、触媒や活性炭による脱臭の前に、排気４２の温度が速やかに低下し、排気４２の飽和蒸気圧が下がり排気４２中の蒸気が凝縮するような構成を備えていて、回収生ごみ３５から発生する水蒸気に含まれる水に溶解する臭気成分（例えば、トリメチルアミン、アンモニア、硫化水素等）は、結露水として回収し、臭気が確実に抑えられるようにしている。
【００７８】
以上のように、本実施の形態においては、生ごみを破砕する破砕装置２と、この破砕装置２により破砕された粉砕生ごみ４と水の混在物から水分を分離する固液分離装置３と、この固液分離装置３を作動する駆動手段２６と、固液分離装置３により分離された脱水生
ごみ２４を乾燥処理する生ごみ処理部６と、生ごみ処理部６に設けた生ごみ撹拌手段７と、生ごみ撹拌手段７の作動を伝達手段２７を介して固液分離装置３の駆動手段２６で行うことにしたので、生ごみ乾燥処理装置８内での生ごみ撹拌手段７の駆動手段に大きな場所を必要とせず、生ごみ乾燥処理装置８を小型化することができる。
【００７９】
また、生ごみ撹拌手段７の駆動手段に使用するモータは、生ごみ乾燥処理装置８の構成部品の中でもコストが高いので、無くすことで低コスト化を図ることができる。
【００８０】
また、本実施の形態の固液分離装置３は、駆動軸１０をメカニカルシール等を用いてケース２０を貫通させて設けるので、駆動手段２６を伝達手段２７の反対側の生ごみ処理部６の側部に配置でき、生ごみ乾燥処理装置８のケース内に場所をとらないように収納することができ、生ごみ乾燥処理装置８をコンパクトに構成することができる。
【００８１】
また、本実施の形態の固液分離装置３の駆動軸１０と生ごみ撹拌手段７の駆動軸２９を略平行に設けているので、ベルト等の簡単な伝達手段２７で固液分離装置３の駆動手段２６の動作を伝えることができる。
【００８２】
また、本実施の形態の固液分離装置３は、生ごみ処理部６に臨ませた出口２５を生ごみ容器３４内の生ごみ撹拌手段７の駆動軸２９に対して略直角に向けているので、例えば生ごみ撹拌手段７の形状を変則的な配置にしておくことで、回収生ごみ３５が駆動軸２９方向に移動し、回収生ごみ３５の分散を促進し、乾燥処理時間を短縮することができる。
【００８３】
また、本実施の形態の固液分離装置３は、生ごみ処理部６の生ごみ撹拌手段７の正転、反転を行うときに、分離部９が構成する間隙１１を掃除するためのスクレーパ１６の構成を分離部９が反転しても回転を阻害しないように、スクレーパ１６の形状を分離部９に対して略対称に設けたので、固液分離装置３の分離部９が反転しても分離部９の間隙１１をスクレーパ１６が正転と同じように容易に通過できるので、固液分離装置の反転によるスクレーパ１６の変形や分離部９とスクレーパ１６の摩擦による負荷拡大を防止することができる。
【００８４】
また、本実施の形態の固液分離装置３は、生ごみ処理部６の生ごみ撹拌手段７の正転、反転を行うときに、水分と生ごみを分離するための複数個の分離部９とこの分離部９が構成する間隙１１を反転しても回転を阻害しないように、分離部９に複数個設ける生ごみ搬送用の切欠き部１３の形状を正転方向、反転方向に略対称に構成したので、生ごみ処理部６内の生ごみ撹拌手段７が反転を必要とするときは、固液分離装置３の分離部９が反転しても分離部９の切欠き部１３をスクレーパ１６が容易に通過できるので、固液分離装置３の反転によるスクレーパ１６の変形や分離部９とスクレーパ１６の摩擦による負荷拡大を防止することができる。
【００８５】
また、本実施の形態の固液分離装置３は、生ごみ処理部６の生ごみ撹拌手段７の正転を行うときに、分離された脱水生ごみ２４をスクレーパ１６により構成される上傾斜面２１の上を通過するようにして生ごみ処理部６に供給し、生ごみ撹拌手段７の反転を行うときは、スクレーパ１６により構成される下傾斜面２２により固液分離装置３の下部に堆積した破砕生ごみ４の残渣が逆流しないようにしたので、分離部９が反転したときに分離部９の間隙１１をスクレーパ１６で掃除した破砕生ごみ４の残渣を下傾斜面２２で分離しやすくして、分離部９の通路１４に残し、次の分離部９の正転時に分離部９の切欠き部１３により搬送して生ごみ処理部６に送り込むことができる。
【００８６】
また、本実施の形態の固液分離装置３は、破砕装置２が作動している間は、正転を行い、分離した生ごみを生ごみ処理部６に供給し、生ごみ撹拌手段７は、固液分離装置３と同
一方向に回転し、固液分離装置３から押し出される脱水生ごみ２４を下から受け止めるようにして生ごみ処理部６内に分散させるので、乾燥しやすいように撹拌したり分散したりすることができ、回収生ごみ３５の乾燥処理を加速することができ、乾燥処理時間を短縮することができる。
【００８７】
また、本実施の形態の生ごみ処理部６と生ごみ容器３４は、円筒状の内壁に構成しているので、生ごみ撹拌手段７により、生ごみ処理部６の内壁の一部に開口された固液分離装置３の出口２５に残って付着した脱水生ごみ２４を掻き落とし、出口２５のごみ詰まりを防止することができる。
【産業上の利用可能性】
【００８８】
以上のように、本願発明によれば、固液分離装置の駆動手段で生ごみ撹拌手段の駆動手段を兼ねながら小型化と簡素化と低コスト化を図った生ごみ乾燥処理装置を提供する。
【図面の簡単な説明】
【００８９】
【図１】本発明の実施の形態１における生ごみ乾燥処理装置の構成図
【図２】本発明の実施の形態１における生ごみ乾燥処理装置の平面図
【図３】本発明の実施の形態１における固液分離装置の要部構成図
【符号の説明】
【００９０】
２  破砕装置
３  固液分離装置
６  生ごみ処理部
７  生ごみ撹拌装置
９  分離部
１１  間隙
１３  切欠き部
１６  スクレーパ
２１  上傾斜面
２２  下傾斜面
２３  絞り部
２４  脱水生ごみ
２６  駆動手段
２７  伝達手段
【図１】
2010075822.tif 000003
【図２】
2010075822.tif 000004
【図３】
2010075822.tif 000005